(57)【要約】イジェクタ、駆動ユニット、および摩擦クラッチを備え、予め定められたトルクを超えたときに摩擦クラッチが駆動ユニットおよびイジェクタを相互に連結解除するように設計された、家具本体上または家具本体内に可動に取り付けられた家具部分のためのイジェクト装置であって、摩擦クラッチ（６）が、２つの回転方向に相互に対して回転可能である２つの部分（７、８）を含み、連結解除を引き起こすトルクが前記２つの部分（７、８）の２つの回転方向に対して異なるように前記２つの部分（７、８）と相互作用するばね（９）が設けられているイジェクト装置。
2009526175.tif 000002
【特許請求の範囲】
【請求項１】
イジェクタ、駆動ユニット、および滑りクラッチを備え、予め定められたトルクを超えたときに前記滑りクラッチが前記駆動ユニットおよび前記イジェクタを相互に連結解除するように設計された、家具本体内または家具本体上に可動に取り付けられた家具部分のためのイジェクト装置であって、前記滑りクラッチ（６）が、２つの回転方向に相互に対して回転可能である２つの部分（７、８）を含み、連結解除を引き起こすトルクが前記２つの部分（７、８）の２つの回転方向に対して異なるように前記２つの部分（７、８）と協働するばね（９）が設けられていることを特徴とするイジェクト装置。
【請求項２】
前記ばね（９）がコイルばねの形を取ることを特徴とする、請求項１に記載のイジェクト装置。
【請求項３】
前記２つの部分（７、８）が前記２つの回転方向のうち第１方向に回転運動すると、前記ばね（９）の直径が縮小するように、前記ばね（９）が前記２つの部分（７、８）と協働することを特徴とする、請求項１または２に記載のイジェクト装置。
【請求項４】
前記２つの部分（７、８）が前記２つの回転方向のうち第２方向に回転運動すると、前記ばね（９）が拡張するように、前記ばね（９）が前記２つの部分（７、８）と協働することを特徴とする、請求項１ないし３の一項に記載のイジェクト装置。
【請求項５】
前記第１部分（７）が連動ピン（１０）を有し、前記第２部分（８）が歯付きディスク（１１）を有し、前記滑りクラッチ（６）の連結状態で、前記ばね（９）が前記連動ピン（１０）を前記歯付きディスク（１１）に対して押し付けることを特徴とする、請求項１ないし４の一項に記載のイジェクト装置。
【請求項６】
前記滑りクラッチ（６）の前記第１部分（７）が前記イジェクタ（４）に連結され、かつ前記滑りクラッチ（６）の前記第２部分（８）が前記駆動ユニット（５）に連結されることを特徴とする、請求項１ないし５の一項に記載のイジェクト装置。
【請求項７】
前記２つの部分（７、８）の前記２つの回転方向のうち一方においてのみ、前記滑りクラッチ（６）が前記駆動ユニット（５）および前記イジェクタ（４）を相互に連結解除することを特徴とする、請求項１ないし６の一項に記載のイジェクト装置。
【請求項８】
イジェクタ、駆動ユニット、および滑りクラッチを備え、予め定められたトルクを超えたときに前記滑りクラッチが前記駆動ユニットおよび前記イジェクタを相互に連結解除するように設計された、家具本体内または家具本体上に可動に取り付けられた家具部分のためのイジェクト装置であって、前記イジェクタ（４）がレバーの形を取り、かつ前記滑りクラッチ（６）が前記レバーに組み込まれることを特徴とする、特に請求項１ないし７の一項に記載のイジェクト装置。
【請求項９】
前記滑りクラッチ（６）の前記２つの部分（７、８）が相互に対して回転可能なときの中心軸（１７）が、前記レバーの回転軸を形成することを特徴とする、請求項８に記載のイジェクト装置。
【発明の詳細な説明】
【技術分野】
【０００１】
本発明は、イジェクタ、駆動ユニット、および滑りクラッチを備え、予め定められたトルクを超えたときに滑りクラッチが駆動ユニットおよびイジェクタを相互に連結解除するように設計された、家具本体上または家具本体内に可動に取り付けられた家具部分のためのイジェクト装置に関する。
【背景技術】
【０００２】
上記種類のイジェクト装置は、例えばＡＴ４１３４７２Ｂの図１０および１１に見られる。そこに示された滑りクラッチはばねリングを備え、それは、過度の荷重を受けると拡張し、かつ、駆動されるイジェクタに回転不能に接続された連動突起上を摺動し、それにより駆動ユニットおよびイジェクタの相互の連結解除が起こる。
【発明の開示】
【発明が解決しようとする課題】
【０００３】
本発明の目的は、滑りクラッチによって安全防護されたイジェクト装置の代替的構成を提供することである。
【課題を解決するための手段】
【０００４】
その目的は、請求項１の特徴を有するイジェクト装置によって達成される。
【０００５】
イジェクト装置のイジェクタは、駆動ユニットによって制限角度範囲を超えて枢動する。可動家具部分を飛び出させるために、イジェクタは可動家具部分の方向に枢動されて、それに飛出し力を加える。その後、イジェクタをその開始位置に再び戻さなければならず、それは、飛出しプロセスに対して反対の回転方向でイジェクタの枢動によってもたらされる。
【０００６】
滑りクラッチは、駆動ユニットに連結されたイジェクタに過度の力を加えることによって生じ得る、駆動ユニットの損傷を防止するのに役立つ。
【０００７】
例として、可動家具部分は、イジェクタがその開始状態に戻る前に、比較的高い力でユーザによってその閉位置に押し込まれることが発生し得る。可動家具部分がイジェクタに衝突すると、結果的に生じる力の衝撃はイジェクタを介して駆動ユニットに伝達され、駆動ユニットの損傷または事実上破壊を引き起こすことがあり得る。
【０００８】
他方、飛出しプロセス中に可動家具部分が動かなくなることがあり得る。その場合、予め定められた電流強度を超えたときに駆動ユニットのスイッチを切る電子調整システムを装置が備えていなければ、同じく駆動ユニットが損傷するおそれがある。
【０００９】
本発明に係る滑りクラッチの構造は、イジェクタからの駆動ユニットの連結解除を引き起こすトルク（オーバライドトルク）を、上述した状況の各々に対して異なるように選択することができることを可能にする。例として、飛出しプロセスの終了後、イジェクタがその開始位置に戻る間に、通常の正常な動作時には、いかなる場合も外力がイジェクタに加わることがあってはならないので、オーバライドトルクは比較的低くなるように選択することができる。
【００１０】
他方、滑りクラッチが本質的に通常かつ正常な飛出しプロセス中にスリップするのを防止するために、オーバライドトルクは、飛出しプロセス中、比較的高く設定する必要がある。
【００１１】
本発明の構造的に特に簡単な構成は、２つの部分が２つの回転方向のうち第１方向に回転運動すると、ばねの直径が縮小するように、ばねが２つの部分と協働する構成である。ばねの直径の縮小は、滑りクラッチの２つの部分の連結力を増大させる。それはオーバライドトルクの増大に相当する。すなわち、連結解除が発生するトルクは、ばねの直径が縮小する前に存在した値に対して増大する。さらに、２つの部分が２つの回転方向のうち第２方向に回転運動するとばねが拡張するように、ばねが２つの部分と協働する構成にすることができる。それは、ばねの伸張前に加えることのできるオーバライドトルクに対して、特に、ばねの直径の縮小後に存在するオーバライドトルクに対しても、オーバライドトルクの低下を伴う。
【００１２】
コイルばねがばね軸の方向に３次元的に伸びるという事実は、ばねを構成部品の周りによく巻回することができることを意味するので、原則的に、ばねはコイルばねの形を取ることが好ましい。しかし、渦巻ばねの形のばねを使用することも考えられる。
【００１３】
第１部分が連動ピンを有し、第２部分が歯付きディスクを有し、滑りクラッチの連結状態で、ばねが連動ピンを歯付きディスクに対して押し付けるように構成すると、本発明に係る滑りクラッチの動作の形態はさらに向上する。オーバライドトルクが予め定められた値を超えると、連動ピンは歯付きディスクに対してスリップする。その効果もまた、ばねに関して上述した有利な措置によって、つまり、ばねの直径が縮小すると、スリップ動作がより困難になる（かつ、したがってオーバライドトルクが増大する）一方、ばねが拡張すると、スリップ動作がより容易になる（かつ、したがってオーバライドトルクが低下する）ことによって、増強される。
【００１４】
本質的にイジェクタは、滑りクラッチの第１または第２部分のどちらか一方に連結することができる。特に好ましい実施形態は、滑りクラッチの第１部分をイジェクタに連結し、滑りクラッチの第２部分を駆動ユニットに連結するものである。
【００１５】
滑りクラッチの２つの部分の相互に対する２つの可能な回転方向の一方では、連結解除が全く起きないように、滑りクラッチを設計することが望ましいかもしれない。それは例えば、飛出しプロセス中に、過度の量の力が駆動ユニットによって加えられることを防止する、電子保護調整システムがとにかく存在する場合に、望ましいかもしれない。その場合、飛出しプロセス中に、滑りクラッチのトリガを伴うことなく、特に高いトルクがイジェクタに、かつしたがって可動家具部分に伝達されることがあり得る。しかし、同時にこれは、イジェクタがその開始位置に戻る動きをしている間に、有害な力がイジェクタを介して駆動ユニットに伝達されないことを確実にする。
【００１６】
本発明のさらなる変形は、イジェクタ、駆動ユニット、および滑りクラッチを備え、予め定められたトルクを超えたときに、滑りクラッチ、特に上記実施形態の１つに係る滑りクラッチが、駆動ユニットおよびイジェクタを相互に連結解除するように設計され、イジェクタがレバーの形を取り、かつ滑りクラッチがレバーに組み込まれた、家具本体内または家具本体上に可動に取り付けられた家具部分のためのイジェクト装置に関する。
【００１７】
市販の通常の駆動ユニット、および駆動ユニットとレバーとの間に通常接続される、同じく市販の通常の伝動装置の両方を使用することが可能なので、滑りクラッチをレバーに組み込むことにより、特に簡単な構造がもたらされる。
【００１８】
滑りクラッチの２つの部分が相互に対して回転可能なときの中心軸が、レバーの回転軸を形成するように構成することが特に好ましい。
【００１９】
本発明のさらなる利点および詳細は、添付の図および関連する具体的な説明から明らかになるであろう。
【発明を実施するための最良の形態】
【００２０】
図１は、家具本体２、および家具本体２に可動に取り付けられ、これらの実施形態では引出しの形を取る、複数の家具部分３を有する家具である。家具本体２の後側に、この実施形態では担持要素に取り付けられた、本発明に係る２つのイジェクト装置１を見ることもできる。
【００２１】
図２はイジェクト装置１の１つの斜視図を示し、それに関して特に、この実施形態でレバーの形を取るイジェクタ４を見ることができる。イジェクタ４は収容体部分１２から突出し、とりわけ伝動装置１３、駆動ユニット５、および電子回路は、収容体部分１２内に配置される。
【００２２】
図３では、収容体部分１２のカバーが取り外され、本発明に係るイジェクト装置１の構造が見える。この実施形態で電気モータの形を取り、スピンドル１４を介して伝動装置１３の第１段１５を駆動する、駆動ユニット５を見ることができる。伝動装置１３の最終段１６は、この実施形態ではレバーの形のイジェクタ４に組み込まれた滑りクラッチ６の第２部分８に結合される。
【００２３】
図４ａおよび４ｂはここで、本発明に係る滑りクラッチ６の実施形態の構造を詳細に示す。特に図４ｂは、滑りクラッチ６の第２部分８および第１部分７が両方とも、共通の軸１７に沿って配置されることを示す。この場合、第２部分８は、シャフト１８に回転不能に接続される。この実施形態では、３つの歯付きディスク１１が第２部分８に回転不能に順々に接続される。この実施形態では、軸１７を中心に回転運動が起きると、３つの連動ピン１０が明らかに第１部分７と連動するが、軸１７に対して特定の径方向移動性を有するように、３つの連動ピン１０が滑りクラッチ６の第１部分７に接続される。この実施形態ではコイルばねの形を取るばね９は、その１端を第１部分７に接続され、かつその第２端を第２部分８に接続され、３つの連動ピン１０の周りを巻回する。
【００２４】
滑りクラッチ６の連結状態で、駆動ユニット５とイジェクタ４との間に（伝動装置１３、第２部分８、歯付きディスク１１、連動ピン１０、および第１部分７を介して）途切れることなく続く力の線が形成されるように、３つの連動ピン１０は、歯付きディスク１１に見ることのできる凹部内に係合する。２つの部分７、８が２つの可能な回転方向のうち第１方向に回転すると、それはばね９の直径の縮小を招き、それにより連動ピン１０はより確実に歯付きディスク１１に押し付けられる。それは、オーバライドトルクの増大を招く。対照的に、２つの部分７、８が相互に対して、２つの回転方向のうち第２方向に回転すると、それはばね９の拡張を招き、それにより連動ピン１０は歯付きディスク１１から径方向外向きに離去することができる。それは、駆動ユニット５とイジェクタ４との間の力の伝達を中断させ、滑りクラッチ６の連結解除された状態を表わす。
【００２５】
図５ａおよび５ｂは、一方では、分離された形の滑りクラッチ６の斜視図を示し、他方では平面図を示す。
【００２６】
図６ｂおよび６ｃは、図６ａに示す線に対応する断面図を示す。これらの図では、特にイジェクタ４内の滑りクラッチ６の組込みを見ることができる。
【図面の簡単な説明】
【００２７】
【図１】本発明に係る複数のイジェクト装置を有する家具の斜視図を示す。
【図２】本発明に係るイジェクト装置の斜視図を示す。
【図３】収容体無しの図２のイジェクト装置を示す。
【図４ａ】図２および３に示したイジェクト装置の部分斜視図を示す。
【図４ｂ】図２および３に示したイジェクト装置の部分組立分解図を示す。
【図５ａ】図４の部分の詳細斜視図を示す。
【図５ｂ】図４の部分の詳細平面図を示す。
【図６ａ】図４の部分のさらなる詳細の平面図を示す。
【図６ｂ】図４の部品のさらなる詳細の第１断面図を示す。
【図６ｃ】図４の部分のさらなる詳細の第２断面図を示す。
【図１】
2009526175.tif 000003
【図２】
2009526175.tif 000004
【図３】
2009526175.tif 000005
【図４ａ】
2009526175.tif 000006
【図４ｂ】
2009526175.tif 000007
【図５ａ】
2009526175.tif 000008
【図５ｂ】
2009526175.tif 000009
【図６ａ】
2009526175.tif 000010
【図６ｂ】
2009526175.tif 000011
【図６ｃ】
2009526175.tif 000012
【国際調査報告】
2009526175.tif 000013
2009526175.tif 000014
2009526175.tif 000015
2009526175.tif 000016
2009526175.tif 000017
2009526175.tif 000018
2009526175.tif 000019
2009526175.tif 000020
2009526175.tif 000021
2009526175.tif 000022